【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
第１文字を入力するための１段入力及び第２文字を入力するための２段入力がそれぞれ独立的に遂行可能に設けられた複数の入力キーと、
前記各入力キーへの１段入力及び２段入力を感知する感知部と、
前記感知部の感知結果に基づき、該当入力キーに重複して割り当てられた第１文字または第２文字をメモリ部から抽出して入力する制御部と、を備えるデータ入力装置。
【請求項２】
前記１段入力は、前記各入力キーへの接触または近接によるタッチ入力で行われ、前記２段入力は、前記各入力キーが上下に移動する押圧入力で行われ、
前記感知部は、前記タッチ入力を感知するタッチ感知部と、前記押圧入力を感知する押圧感知部とを有することを特徴とする請求項１に記載のデータ入力装置。
【請求項３】
前記１段入力及び２段入力は、前記入力キーの上下移動距離または押圧圧力の強さにより区分される押圧入力で行われ、
前記感知部は、前記入力キーの移動により切り替えられる押圧スイッチまたは前記入力キーへの加圧力を感知する圧力センサのいずれか一つであることを特徴とする請求項１に記載のデータ入力装置。
【請求項４】
前記押圧入力は、前記入力キーの上下移動距離または押圧圧力の強さにより、２段以上の多段入力が可能になることを特徴とする請求項２に記載のデータ入力装置。
【請求項５】
前記各入力キーには、所定の字音文字及び母音文字が同時に割り当てられ、
前記各入力キーと組合せ入力により、前記母音文字に転換して入力するための転換入力部をさらに有し、
前記転換入力部は、前記入力キーの配列の内部または外部のいずれか一つ以上に設けられることを特徴とする請求項１に記載のデータ入力装置。
【請求項６】
前記複数の入力キーは、所定の半径を有する円の円周上に配置されることを特徴とする請求項１に記載のデータ入力装置。
【請求項７】
前記各入力キーは、入力領域の両側に２揃いで設けられることを特徴とする請求項１に記載のデータ入力装置。
【請求項８】
前記タッチ入力は、２以上の入力キーが順次接触されて行われるスキム入力が可能であることを特徴とする請求項２に記載のデータ入力装置。
【請求項９】
前記入力キーは、第１入力キーと、前記第１入力キーの内側または外側に隣接して設けられる第２入力キーとを有し、
前記制御部は、前記第１入力キーと第２入力キーを所定の時間内に同時に選択する組合せ入力が行われる場合、該当入力キーに元々割り当てられた文字とは異なる第３文字を前記メモリ部から抽出して入力することを特徴とする請求項１に記載のデータ入力装置。
【請求項１０】
前記制御部は、前記感知部を通じて感知された前記第１入力キーと第２入力キーの感知信号のうち、所定の時間以上維持される信号のみを有効な信号と判断して入力を行うことを特徴とする請求項９に記載のデータ入力装置。
【請求項１１】
前記複数の入力キーに隣接して設けられる転換入力部をさらに備え、
前記制御部が、前記入力キー及び転換入力部が順次選択される順次入力により、第４文字をメモリ部から抽出して入力することを特徴とする請求項１〜４、または６〜８のいずれか一項に記載のデータ入力装置。
【請求項１２】
前記複数の入力キーは、円形で配置され、
前記制御部は、円周方向に沿って複数の入力キーが順次選択される円周入力が行われる場合、最後に選択された入力キーに割り当てられた文字のみを有効に抽出して入力することを特徴とする請求項１１に記載のデータ入力装置。
【請求項１３】
前記複数の入力キーは、円形で配置され、
前記各入力キーの半径方向へのスキムを感知する第２タッチ感知部をさらに備え、
前記タッチ入力または押圧入力によっては第１文字または第２文字が入力され、
前記入力キーへの半径方向のタッチによっては第４文字が入力されることを特徴とする請求項８に記載のデータ入力装置。
【請求項１４】
前記複数の入力キーは、円形で配置され、各入力キーには、第５文字が重複して割り当てられ、
前記制御部は、イベント入力が感知された場合、前記第５文字を前記メモリ部から抽出して入力することを特徴とする請求項８に記載のデータ入力装置。
【請求項１５】
前記イベント入力は、前記スキム入力中に、所定の入力キーから指を離してタッチ感知信号が解除され、または、所定の入力キーへのタッチ感知信号が所定の時間以上持続的に発生することによって行われることを特徴とする請求項１４に記載のデータ入力装置。
【請求項１６】
前記タッチ感知部は、前記各入力キーへのタッチまたは円周方向へのスキムを感知する第１タッチ感知部と、前記各入力キーへの半径方向へのスキムを感知する第２タッチ感知部とを有し、
前記制御部が、前記第１タッチ感知部の感知信号が受信されると前記第１文字を、前記第２タッチ感知部の感知信号が受信されると、これをイベント入力として判断し、前記第５文字を前記メモリ部から抽出して入力することを特徴とする請求項１５に記載のデータ入力装置。
【請求項１７】
前記入力キーは、円形で配置された第１入力キーと、前記第１入力キーの内側または外側に隣接して設けられる第２入力キーとからなることを特徴とする請求項１４〜１６のいずれか一項に記載のデータ入力装置。
【請求項１８】
前記第２入力キーは、所定の放射方向に移動可能になっており、
前記第２入力キーの放射状移動を感知する移動感知部をさらに有し、
前記制御部が、前記第２入力キーの移動が感知された該当放射方向に割り当てられた第６文字を前記メモリ部から抽出して入力することを特徴とする請求項１７に記載のデータ入力装置。
【請求項１９】
前記タッチ感知部は、前記第２入力キーの前記各放射方向へのタッチ移動を感知可能になっており、
前記制御部が、前記第２入力キーに行われたタッチ移動の方向により、該当放射方向に割り当てられた第６文字をメモリ部から抽出して入力することを特徴とする請求項１７に記載のデータ入力装置。
【請求項２０】
入力領域において所定の半径を有する円に放射状で配置され、タッチにより第１文字を入力するための１段入力と、押圧により第２文字を入力するための２段入力とがそれぞれ独立的に行われるように設けられる複数の第１入力キーと、
前記第１入力キーの内部または外部に設けられ、タッチまたは押圧のいずれかで第７文字を入力するための１つ以上の第２入力キーと、
前記１段入力または２段入力を感知する第１入力キー感知部と、
前記第２入力キーの選択を感知する第２入力キー感知部と、
前記第１入力キー感知部の感知結果に基づき、該当第１入力キーまたは第２入力キーに割り当てられた第１文字、第２文字、または第７文字をメモリ部から抽出して入力する制御部と、を備えるデータ入力装置。
【請求項２１】
入力領域において所定の半径を有する円に放射状で配置され、タッチにより第１文字を入力するたの１段入力と、押圧により第２文字を入力するための２段入力とがそれぞれ独立的に行われるように設けられる複数の第１入力キーと、
前記第１入力キーの内部または外部に設けられる第２の入力キーと、
前記１段入力または２段入力を感知する第１入力キー感知部と、
前記第２入力キーの選択を感知する第２入力キー感知部と、
前記第１入力キー感知部の感知結果に基づき、該当第１入力キーまたは第２入力キーに割り当てられた第１文字、第２文字をメモリ部から抽出して入力し、または、第１入力キー感知部と第２入力キー感知部で所定の時間内に同時に感知される組合せ入力が行われる場合、第３文字を割り当てる制御部と、を備え、
前記制御部は、複数の前記第１入力キーを連続して入力するスキム入力が行われる場合、最初の入力信号、所定の時間維持される入力信号、または解除される入力信号のいずれかで、該当入力キーに割り当てられた文字が入力されるデータ入力装置。